【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
緩衝剤、及びポリ(M1x)形態を有するポリマー、又はその塩を含む組成物を含む毛細管であって、該組成物は、1以上のタイプM1のモノマーを含み：
（ａ）xは1乃至5の整数であり、かつ該ポリマーに存在するタイプM1のモノマーサブタイプの数を表し；かつ
（ｂ）該ポリマーにおけるタイプM1の各モノマーサブタイプは下記から選ばれるものである、前記毛細管：
N-ビニルヘキサミド、N-ビニルヘプタミド、N-ビニルオクタミド、N-ビニルノナミド、N-ビニルデカミド、N-メチル-N-ビニルホルムアミド、N-メチル-N-ビニルアセトアミド、N-メチル-N-ビニルプロパミド、N-メチル-N-ビニルブタミド、N-メチル-N-ビニルペンタミド、N-メチル-N-ビニルヘキサミド、N-メチル-N-ビニルヘプタミド、N-メチル-N-ビニルオクタミド、N-メチル-N-ビニルノナアミド、N-メチル-N-ビニルデカミド、N-エチル-N-ビニルホルムアミド、N-エチル-N-ビニルアセトアミド、N-エチル-N-ビニルプロパミド、N-エチル-N-ビニルブタミド、N-エチル-N-ビニルペンタミド、N-エチル-N-ビニルヘキサミド、N-エチル-N-ビニルヘプタミド、N-エチル-N-ビニルオクタミド、N-エチル-N-ビニルノナミド、N-エチル-N-ビニルデカミド、N-n-プロピル-N-ビニルホルムアミド、N-n-プロピル-N-ビニルアセトアミド、N-n-プロピル-N-ビニルプロパミド、N-n-プロピル-N-ビニルブタミド、N-n-プロピル-N-ビニルペンタミド、N-n-プロピル-N-ビニルヘキサミド、N-n-プロピル-N-ビニルヘプタミド、N-n-プロピル-N-ビニルオクタミド、N-n-プロピル-N-ビニルノナミド、N-n-プロピル-N-ビニルデカミド、N-イソ-プロピル-N-ビニルホルムアミド、N-イソ-プロピル-N-ビニルアセトアミド、N-イソ-プロピル-N-ビニルプロパミド、N-イソ-プロピル-N-ビニルブタミド、N-イソ-プロピル-N-ビニルペンタミド、N-イソ-プロピル-N-ビニルヘキサミド、N-イソ-プロピル-N-ビニルヘプタミド、N-イソ-プロピル-N-ビニルオクタアミド、N-イソ-プロピル-N-ビニルノナミド、及びN-イソ-プロピル-N-ビニルデカミドである。
【請求項２】
緩衝剤、及びポリ(M1xM2y)形態を有するポリマー、又はその塩を含む組成物を含む毛細管であって、1以上のタイプM1のモノマーを含み、かつ１以上のタイプM2のモノマーを含み：
（ａ）該ポリマーにおける各モノマーはタイプM1又はM2であり；
（ｂ）xは1乃至5の整数であり、かつ該ポリマーに存在するタイプM1のモノマーサブタイプの数を表し；
（ｃ）yは1乃至5の整数であり、かつ該ポリマーに存在するタイプM2のモノマーサブタイプの数を表し；
（ｄ）該ポリマーにおけるタイプM1の各モノマーサブタイプはそれぞれ独立に下記のものであり、
N-ビニルアセトアミド、N-ビニルプロパミド、N-ビニルブタミド、N-ビニルペンタミド、N-ビニルヘキサミド、N-ビニルヘプタミド、N-ビニルオクタミド、N-ビニルノナミド、N-ビニルデカミド、N-メチル-N-ビニルホルムアミド、N-メチル-N-ビニルアセトアミド、N-メチル-N-ビニルプロパミド、N-メチル-N-ビニルブタミド、N-メチル-N-ビニルペンタミド、N-メチル-N-ビニルヘキサミド、N-メチル-N-ビニルヘプタミド、N-メチル-N-ビニルオクタミド、N-メチル-N-ビニルノナミド、N-メチル-N-ビニルデカミド、N-エチル-N-ビニルホルムアミド、N-エチル-N-ビニルアセトアミド、N-エチル-N-ビニルプロパミド、N-エチル-N-ビニルブタミド、N-エチル-N-ビニルペンタミド、N-エチル-N-ビニルヘキサミド、N-エチル-N-ビニルヘプタミド、N-エチル-N-ビニルオクタミド、N-エチル-N-ビニルノナミド、N-エチル-N-ビニルデカミド、N-n-プロピル-N-ビニルホルムアミド、N-n-プロピル-N-ビニルアセトアミド、N-n-プロピル-N-ビニルプロパミド、N-n-プロピル-N-ビニルブタミド、N-n-プロピル-N-ビニルペンタミド、N-n-プロピル-N-ビニルヘキサミド、N-n-プロピル-N-ビニルヘプタミド、N-n-プロピル-N-ビニルオクタミド、N-n-プロピル-N-ビニルノナミド、N-n-プロピル-N-ビニルデカミド、N-イソ-プロピル-N-ビニルホルムアミド、N-イソ-プロピル-N-ビニルアセトアミド、N-イソ-プロピル-N-ビニルプロパミド、N-イソ-プロピル-N-ビニルブタミド、N-イソ-プロピル-N-ビニルペンタミド、N-イソ-プロピル-N-ビニルヘキサミド、N-イソ-プロピル-N-ビニルヘプタミド、N-イソ-プロピル-N-ビニルオクタミド、N-イソ-プロピル-N-ビニルノナミド、又はN-イソ-プロピル-N-ビニルデカミド；かつ
（ｅ）該ポリマーにおけるタイプM2の各モノマーサブタイプはそれぞれ独立に下記のものである、前記毛細管：
N-ヒドロキシ-アクリルアミド、N-メトキシ-アクリルアミド、アクリロイル尿素、1-ビニルピロリジン-2,5-ジオン、3-ビニル-オキサゾリジン-2-オン、1-ビニル-イミダゾリジン-2-オン、4-ビニルモルフォリン-3,5-ジオン、4-ビニル-モルフォリン-3-オン、4-ビニル-モルフォリン、2-ビニル-1,3-オキソラン、2-ビニレンカーボネート、メトキシエチレン、酢酸ビニル、ビニルアルコール、アクリルアミド、N-アセトアミド-アクリルアミド、N-アセチル-アクリルアミド、N-アリル-アクリルアミド、N-2-アミノエチル-アクリルアミド塩酸塩、N-2-アミノエチル-N-メチル-アクリルアミド塩酸塩、N-3-アミノプロピル-アクリルアミド塩酸塩、N-3-アミノプロピル-N-メチル-アクリルアミド塩酸塩、N-ブトキシメチル-アクリルアミド、N-n-ブチル-アクリルアミド、N-tert-ブチル-アクリルアミド、N-2-シアノエチル-アクリルアミド、N-シアノメチル-アクリルアミド、N-シアノメチル-N-メチル-アクリルアミド、N,N-ジアリル-アクリルアミド、N,N-ジエチル-アクリルアミド、N,N-ジイソプロピル-アクリルアミド、N,N-ジメチル-アクリルアミド、N-エチル-N-メチル-アクリルアミド、N-エチル-N-プロピル-アクリルアミド、N-2-グリコール酸-アクリルアミド、N-2-グリコール酸メチルエステル-アクリルアミド、N-2-ヒドロキシエチル-アクリルアミド、N-2-ヒドロキシエチル-N-メチル-アクリルアミド、N-ヒドロキシメチル-アクリルアミド、N-ヒドロキシメチル-N-メチル-アクリルアミド、N-イソ-プロピル-アクリルアミド、N-2-メトキシエチル-アクリルアミド、N-メトキシメチル-アクリルアミド、N-メチル-アクリルアミド、N-2,2,2-トリクロロ-1-ヒドロキシエチル-アクリルアミド、N-トリ(ヒドロキシメチル)メチル-アクリルアミド、N-トリ(ヒドロキシメチル)メチル-N-メチル-アクリルアミド、N-3-(トリメチルアンモニウム)プロピル-アクリルアミド塩酸塩、N-3-(トリメチルアンモニウム)プロピル-N-メチル-アクリルアミド塩酸塩、メタクリルアミド、N-アセトアミド-メタクリルアミド、N-アセチル-メタクリルアミド、N-アリル-メタクリルアミド、N-2-アミノエチル-メタクリルアミド塩酸塩、N-3-アミノプロピル-メタクリルアミド塩酸塩、N-ブトキシメチル-メタクリルアミド、N-n-ブチル-メタクリルアミド、N-tert-ブチル-メタクリルアミド、N-2-シアノエチル-メタクリルアミド、N-シアノメチル-メタクリルアミド、N-シアノメチル-N-メチル-メタクリルアミド、N,N-ジエチル-メタクリルアミド、N,N-ジメチル-メタクリルアミド、N-2-グリコール酸-メタクリルアミド、N-2-ヒドロキシエチル-メタクリルアミド、N-ヒドロキシメチル-メタクリルアミド、N-ヒドロキシメチル-N-メチル-メタクリルアミド、N-イソ-プロピル-メタクリルアミド、N-2-メトキシエチル-メタクリルアミド、N-メトキシメチル-メタクリルアミド、N-メチルメタクリルアミド、N-トリ(ヒドロキシメチル)メチル-メタクリルアミド、N-3-(トリメチルアンモニウム)プロピル-メタクリルアミド塩酸塩、又はこれらの混合物である。
【請求項３】
該毛細管が毛細管チューブである、請求項１又は２記載の毛細管。
【請求項４】
該組成物がさらに、モノマーユニットである下記成分を含む、有効量の篩、及び／又はEOF抑制ポリマーを含む、請求項１、２、又は３記載の毛細管：
アクリルアミド、N-アセチル-アクリルアミド、N-2-シアノエチル-アクリルアミド、N,N-1,2-ジヒドロキシエチレン-ビス-アクリルアミド、N-4,4-ジメトキシブチル-アクリルアミド、N-2,2-ジメトキシエチル-アクリルアミド、N,N-ジメチル-アクリルアミド、N-2-グリコール酸メチルエステルアクリルアミド、N-2-ヒドロキシエチル-アクリルアミド、N-ヒドロキシメチル-アクリルアミド、N-メトキシメチル-アクリルアミド、N-3-メトキシプロピル-アクリルアミド、N-メチル-アクリルアミド、N-メチル-,N-2,2-ジメトキシエチル-アクリルアミド、N-モルフォリノエチル-アクリルアミド、N-2,2,2-トリクロロ-1-ヒドロキシエチル-アクリルアミド、N-トリ(ヒドロキシメチル)-メチル-アクリルアミド、メタクリルアミド、-N-アセチル-メタクリルアミド、N-2-シアノエチル-メタクリルアミド、N,N-1,2-ジヒドロキシエチレン-ビス-メタクリルアミド、N-4,4-ジメトキシブチル-メタクリルアミド、N-2,2-ジメトキシエチル-メタクリルアミド、N,N-ジメチル-メタクリルアミド、N-2-グリコール酸メチルエステルメタクリルアミド、N-2-ヒドロキシエチル-メタクリルアミド、N-ヒドロキシメチル-メタクリルアミド、N-メトキシメチル-メタクリルアミド、N-3-メトキシプロピル-メタクリルアミド、N-メチル-メタクリルアミド、N-メチル-,N-2,2-ジメトキシエチル-メタクリルアミド、N-モルフォリノエチル-メタクリルアミド、N-2,2,2-トリクロロ-1-ヒドロキシエチル-メタクリルアミド、N-トリ(ヒドロキシメチル)-メチル-メタクリルアミド、又はこれらの混合物である。
【請求項５】
該篩い及び／又はEOF抑制ポリマーのモノマーユニットが、アクリルアミドである、請求項４記載の毛細管。
【請求項６】
該組成物がさらに、下記成分を含む、有効量の篩い、及び／又はEOF抑制ポリマーを含む、請求項１、２、又は３記載の毛細管：
ポリ(ヒドロキシメチレン)、ポリ(オキシエチレン)、ポリ(オキシプロピレン)、ポリ(オキシエチレン-co-オキシプロピレン)、ポリ(ビニルアルコール)、ポリ(ビニルピロリドン)、ポリ(2-エチル-2-オキサゾリン)、ポリ(2-メチル-2-オキサゾリン)、ポリ((2-エチル-2-オキサゾリン)-co-(2-メチル-2-オキサゾリン))、ポリ(N-アセトアミドアクリルアミド)、ポリ(アクリルオキシル尿素)、ヒドロキシエチルセルロース、ヒドロキシメチルセルロース、又はこれらの混合物である。
【請求項７】
該組成物のポリマーが、約150,000ダルトン乃至約20 Mダルトンの重量平均分子量を有する、請求項１〜６のいずれか一項記載の毛細管。
【請求項８】
該組成物がさらに、約1 Mダルトン乃至約5 Mダルトンの重量平均分子量を有する、有効量の篩い及び／又はEOF抑制ポリマーを含む、請求項７記載の毛細管。
【請求項９】
該篩い及び／又はEOF抑制ポリマーが、実質的に線状のポリアクリルアミドである、請求項８記載の毛細管。
【請求項１０】
該組成物が水性組成物である、請求項１〜９のいずれか一項記載の毛細管。
【請求項１１】
該組成物が、乾燥した組成物である、請求項１〜９のいずれか一項記載の毛細管。
【請求項１２】
該組成物が、約5乃至約11のpHを有する、請求項１０又は１１記載の毛細管。
【請求項１３】
該組成物が、約7乃至約10のpHを有する、請求項１０又は１１記載の毛細管。
【請求項１４】
該M1が、N-メチル-N-ビニルアセトアミドである、請求項１〜１３のいずれか一項記載の毛細管。
【請求項１５】
該組成物が、さらに、ホルムアミド、尿素、ピロリドン、又はN-メチルピロリドンの１以上を含む、請求項１２記載の毛細管。
【請求項１６】
該組成物が、さらに尿素、ホルムアミド又は双方を含む、請求項１５記載の毛細管。 
【請求項１７】
（ａ）請求項１〜１６のいずれか一項記載の毛細管の組成物を、生体分子を含む混合物と接触させること、及び
（ｂ）該混合物から生体分子が分離するのを促進するのに十分な量で、該組成物に電場を印加することを含む、生体分子混合物の分離方法。
【請求項１８】
該分離が、毛細管チューブ内で実施され、かつ2種以上の生体分子がポリヌクレオチドである、請求項１７記載の方法。
【請求項１９】
該分離方法が、少なくとも約400塩基対のクロスオーバーを有する、請求項１７又は１８記載の方法。